(57)【特許請求の範囲】
【請求項１】
支持基板と、
前記支持基板によって支持される、互いに電気的に絶縁された一次導電性トラック及び導電性短絡要素と、
前記一次導電性トラックに電気的に係合する導電性セキュリティ接続部と、該導電性セキュリティ接続部と少なくとも部分的に同一平面上に存在して該導電性セキュリティ接続部に電気遮断部をもたらす柔軟なスイッチ要素とを少なくとも含むセキュリティ層と、
前記セキュリティ層が施され、前記支持基板に直接的又は間接的に固定された誘電体基板と、
を備え、前記導電性セキュリティ接続部の前記電気遮断部は、前記スイッチ要素が前記誘電体基板の方向から与えられる作動力を受けて前記導電性短絡要素に接触することによって橋絡し、前記スイッチ要素は、前記作動力の不在時には、前記導電性短絡要素と電気的に接触していない非付勢状態に戻り、
前記スイッチ要素は、前記作動力を受けて前記導電性短絡要素に係合するように作動できる少なくとも１つの柔軟な導電要素を含み、
前記誘電体基板は少なくとも部分的に弾性であり、前記スイッチ要素は前記誘電体基板に接触し、前記作動力の不在時には、前記誘電体基板が、前記スイッチ要素を、非付勢状態に戻った時に前記導電性短絡要素から離れるように付勢する、
ことを特徴とする多層電子システム。
【請求項２】
前記支持基板は、前記一次導電性トラックが印刷された少なくともプリント基板を含む、
請求項１に記載の多層電子システム。
【請求項３】
前記セキュリティ層及び前記誘電体基板を前記支持基板に取り付けるための接着層が設けられる、
請求項１又は２に記載の多層電子システム。
【請求項４】
前記導電性セキュリティ接続部は、前記誘電体基板の下面の大部分を覆う、曲りくねった、蛇状の、蛇行した又はジグザグの経路をたどるトラックとして形成され、前記スイッチ要素の前記電気遮断部は空隙である、
請求項１、２又は３に記載の多層電子システム。
【請求項５】
前記セキュリティ層は、前記誘電体基板と一体的に形成される、
請求項１から４のいずれか１項に記載の多層電子システム。
【請求項６】
前記一次導電性トラックは、銅又はニッケルで形成される、
請求項１から５のいずれか１項に記載の多層電子システム。
【請求項７】
前記導電性セキュリティ接続部は、銅、ニッケル、銀又は金で形成される、
請求項１から６のいずれか１項に記載の多層電子システム。
【請求項８】
前記導電性短絡要素は、前記支持基板と一体的に形成される、
請求項１から７のいずれか１項に記載の多層電子システム。
【請求項９】
前記導電性短絡要素は、非導電性接着剤を用いて前記セキュリティ層に取り付けられる、
請求項１から７のいずれか１項に記載の多層電子システム。
【請求項１０】
前記誘電体基板の前記スイッチ要素の真上に重なる保持要素をさらに備え、該保持要素は、前記作動力を加えて前記スイッチ要素と前記導電性短絡要素の間の物理的及び電気的接触を生じさせる、
請求項１から９のいずれか１項に記載の多層電子システム。
【請求項１１】
前記保持要素は、スピゴットである、
請求項１から１０のいずれか１項に記載の多層電子システム。
【請求項１２】
請求項１から１１のいずれか１項に記載の多層電子システムを含む回路を内包するハウジングを有する、
ことを特徴とする改ざん防止電子装置。
【請求項１３】
前記誘電体基板及び前記支持基板の少なくとも一方は、前記電子装置の前記ハウジングに接続される、
請求項１２に記載の改ざん防止電子装置。
【請求項１４】
前記支持基板は、前記電子装置の前記ハウジングと一体的に形成される、
請求項１２又は１３に記載の改ざん防止電子装置。
【請求項１５】
前記スイッチ要素を前記導電性短絡要素に接触させるのに必要な前記作動力をもたらすように、前記電子装置の前記ハウジングと一体的にスピゴットが形成される、
請求項１２、１３又は１４に記載の改ざん防止電子装置。
【発明の詳細な説明】
【技術分野】
【０００１】
本発明は、電子装置に、具体的には、必ずしも排他的な意味ではないが、販売時点情報管理（ＰＯＳ）装置に改ざん防止セキュリティを提供するための多層電子システムに関する。さらに、本発明は、このような多層システムを含む改ざん防止装置にも関する。
【背景技術】
【０００２】
回路を改ざんできることが全く望ましくない電子システムは数多く存在する。例えば、金融取引のセキュリティに関するあらゆる装置は、回路を改ざんできる場合に被害を受けやすい。従って、例えば販売時点情報管理装置などのバンクカードリーダは、ハッキング又はその他の不正使用によってセキュリティを迂回され、犯罪目的に使用されることがある。
【０００３】
従って、開発されてきた多くのこのような装置は、セキュリティ回路、すなわち改ざん時に容易に壊れ、結果として装置の機能を永久に停止する回路を含む。通常、セキュリティ回路は、一次回路を覆って配置できる下面上に、典型的には導電性トラックとして形成される導電性接続部を有する柔軟な又は変形可能な層の形を取る。この導電性トラックを一次回路と電気的に接触するように作動させることによって回路を完結させることができる。装置が改ざんされた場合には、この導電性トラックが切断され、セキュリティ回路が破壊されて一次回路の接続が途切れる。
【０００４】
バンクカードリーダの場合には、スイッチングドームを覆うセキュリティ回路が存在する。キーパッドボタンが押されると、セキュリティ回路が変形してスイッチングドームが崩壊し、ドームの中央下部に位置するＰＣＢ上のスイッチ接点と、ドームの外縁部周囲に位置するＰＣＢ上のスイッチ接点とを共に短絡させる。
【０００５】
セキュリティ回路を一次回路に電気的に接続するためにも、同様のセキュリティドームが設けられる。これらのドームは、ハウジングが閉じている状態の時には、ハウジングに関連する可動スピゴットによって動作状態に保持される。ハウジングが開けられると、これらのスピゴットの少なくとも１つが動き、関連するドームを解放することによってアラーム状態を引き起こす。これにより、第三者がリーダに干渉しなかったことを知った上で安全に取引を進めることができる。
【０００６】
セキュリティ回路を効果的に完結させるには、キーパッドボタン又は可動スピゴットをＰＣＢ又はその周辺に位置付けなければならない。このような配置は、リーダに干渉しようと試みる何者かに、装置内のどこにＰＣＢが存在するかを明らかにしてしまい、むしろ改ざんの手助けになる恐れがある。
【０００７】
また、このようなセキュリティドームは、一次回路とセキュリティ回路の間に位置する専用の付勢バネを、通常はハウジング又はエンクロージャ内の様々な位置に複数使用し、これによってハウジング又はエンクロージャに大きな分離力が加わる恐れがある。従って、分離、亀裂又は分裂の可能性を回避又は制限するために、ハウジング又はエンクロージャを好適かつ強固に形成する必要がある。この必要な堅牢性を満たすための補強を可能にするために、利用可能な内部空間が制限されることにより、必然的にハウジング又はエンクロージャ内のどこにこのようなセキュリティ装置を配置するかに影響が及んでしまう。
【発明の概要】
【発明が解決しようとする課題】
【０００８】
従って、キーパッドボタン又は可動スピゴットから一次回路を物理的に転位させることによって上記の問題点を実質的に回避又は防止できるセキュリティ回路接続を有する改ざん防止装置に対する要望がある。
【課題を解決するための手段】
【０００９】
本発明の第１の態様によれば、支持基板と、この支持基板によって支持される、互いに電気的に絶縁された一次導電性トラック及び導電性短絡要素と、一次導電性トラックに電気的に係合する導電性セキュリティ接続部、及びこの導電性セキュリティ接続部と少なくとも部分的に同一平面上に存在して導電性セキュリティ接続部に電気遮断部をもたらす柔軟なスイッチ要素を少なくとも含むセキュリティ層と、このセキュリティ層が施され、支持基板に直接的又は間接的に固定された誘電体基板とを備え、スイッチ要素が誘電体基板の方向から与えられる作動力を受けて導電性短絡要素に接触することによって導電性セキュリティ接続部の電気遮断部が橋絡し、作動力の不在時には、スイッチ要素が導電性短絡要素から離れるように付勢される多層電子システムが提供される。
【００１０】
本発明は、セキュリティ回路と一次回路の一体化を可能にし、セキュリティ回路は、一定の作動力を受けた時にのみ完結する。短絡要素は、一次回路から物理的及び電気的に絶縁されるように位置付けられ、従って、作動力は短絡要素の近傍に生じる。
【００１１】
従来の装置では、一般にセキュリティ回路が、完全な回路を形成するように一次回路と物理的に接触する。このことは、主回路の損傷をうまく引き起こすことができる作動力が特定の明白な位置に生じる必要があることに加え、この作動力が一次回路の近くに生じなければならないことを意味し、これによって潜在的な改ざん者を暗に手助けしてしまう。
【００１２】
本発明では、短絡要素が一次回路から転位されるので、必ずしも作動力が一次回路の近くに存在する必要はなく、改ざんをより困難にする。また、本発明では、セキュリティ回路の一部のみが作動すればよく、セキュリティ接続部に損傷が生じる可能性が低くなる。
【００１３】
スイッチ要素は、付勢力の不在時には、セキュリティ接続部と一直線上又は同一平面上にくるように位置付けられ、すなわち平面的な又は連続したセキュリティ層を形成し、或いは湾曲した又は非平面的な基板に適用される場合には、スイッチ要素はセキュリティ接続部と同じ高さに存在する。これにより、セキュリティ層を組み込んだいずれかのこのような装置のハウジングに圧力を加えるバネ付勢された接続要素に依拠する従来のセキュリティ要素の問題が回避される。これにより、バネ付勢要素の力に耐えられなかったであろう薄壁で形成されたようなハウジングを有する装置に、本発明を有利に組み込むことができる。
【００１４】
支持基板は、一次導電性トラックが印刷された少なくともプリント基板を含むことが好ましい。
【００１５】
一次導電性トラックの容易な実装のためには、システムの支持基板に容易に一体化できるプリント基板を設けることが有利である。
【００１６】
スイッチ要素は、上記作動力を受けて導電性短絡要素と係合するように作動することができる少なくとも１つの柔軟な導電要素を含むことが好ましい。
【００１７】
柔軟なスイッチ要素は、作動中により大きな摩擦力を受ける可能性のある同様の要素よりも、作動時に損傷する可能性が低いという利点を有する。
【００１８】
誘電体基板は、少なくとも部分的に弾性とすることができ、スイッチ要素は誘電体基板に接触し、作動力の不在時には、誘電体基板が、スイッチ要素を、非付勢状態に戻った時に導電性短絡要素から離れるように付勢することが好ましい。
【００１９】
弾性誘電体基板は、スイッチ要素を短絡要素に係合しないように付勢できるという利点を有する。
【００２０】
セキュリティ層及び誘電体基板を支持基板に取り付けるための接着層を設けることもできる。
【００２１】
セキュリティ層及び誘電体基板は、支持基板に対して摩擦を伴って揺れたり、又は別様に転位したりするのを防ぐために、支持基板に接着されることが有利である。これにより、一次回路とセキュリティ回路が互いにずれる可能性が低下する。
【００２２】
スイッチ要素の電気遮断部は空隙であり、これにより、改ざんされた状態では、セキュリティ接続部と短絡要素の間に電気絶縁体が有利に提供される。
【００２３】
さらに、導電性セキュリティ接続部は、曲りくねった、蛇状の、蛇行した又はジグザグの経路をたどることができるトラックとして形成することができる。
【００２４】
セキュリティ回路の目標は、電子システムに対する違法な改ざんを防ぐことである。導電性セキュリティ接続部を、広いランダム化した領域を覆うように成形することにより、犯罪者は、セキュリティ接続部が途切れることによって装置が永久に停止するリスクを冒さずにセキュリティ層を故意に迂回することができなくなる。
【００２５】
これに加えて、又はこれとは別に、セキュリティ層を誘電体基板と一体的に形成することもできる。例えば、同じ構造の単一部品として一体的に形成し、或いはその後にどう見ても一体になるように適用することができる。
【００２６】
システムのセキュリティ層を誘電体基板と一体化することにより、システムの一次回路を改ざんするために誘電体基板を分離又は剥離しようとするあらゆる試みは、その過程でセキュリティ層が損傷又は破損することによって阻止される。
【００２７】
導電性セキュリティ接続部は、誘電体基板の下面の大部分を覆うことが好ましい。
【００２８】
導電性セキュリティ接続部は、誘電体基板の大部分を覆うことにより、セキュリティ層のいずれかの部分が損傷すると、結果的に一次回路が停止するので、あらゆる保護された電子装置全体を改ざんから保護するために使用することができる。
【００２９】
一次導電性トラックは、銅又はニッケルで形成することができ、また導電性セキュリティ接続部も、銅、ニッケル、銀又は金で形成できることが好ましい。
【００３０】
銅及びニッケル、並びにより高価な銀及び金は、回路内で使用される典型的な高導電性金属であり、回路の導電性トラック又は接続部は、優先的にこれらの金属のうちの１つで形成される。しかしながら、グラフェン又はその他の炭素系材料などのいずれかの好適な導電性材料を利用することもできる。
【００３１】
このシステムは、誘電体基板のスイッチ要素の真上に重なる保持要素をさらに備え、この保持要素は、作動力を加えてスイッチ要素と導電性短絡要素の間の物理的及び電気的接触を生じさせることが好ましい。この場合、保持要素はスピゴットであることが有利である。
【００３２】
セキュリティ回路と短絡要素の間の物理的及び電気的接続をさらに強化するために、保持要素は、下位層を共に支持基板の方に圧縮する下向きの圧力を誘電体基板上に加えることが有利である。
【００３３】
本発明の第２の態様によれば、好ましくは本発明の第１の態様による多層電子システムを含む回路を内包するケース又はハウジングを有する改ざん防止電子装置が提供される。少なくとも誘電体基板は、電子装置のケース又はハウジングに接続されることが好ましい。さらに、支持基板は、電子装置のケース又はハウジングと一体的に形成することができる。この場合、支持構造をケース又はハウジングと一体化することにより、都合よく製造コストを削減することができる。製造物は、一体部品とすることも、或いは基本的に単一構造を形成するように相互接続することもできる。スイッチ要素を導電性短絡要素に接触させるのに必要な作動力をもたらすように、電子装置のケース又はハウジングと一体的に形成されたスピゴットをさらに提供することができる。
【００３４】
本発明の第１の態様のシステムを含む改ざん防止装置は、装置のケースが開けられると、スイッチ要素及び短絡要素を電気的に導通するように強いる作動力が除去されるので、装置が改ざんされた後の違法使用から有利に保護される。
【００３５】
本発明の第３の態様によれば、好ましくは本発明の第２の態様による改ざん防止電子装置を停止する方法であって、装置のケース又はハウジング内に多層電子システムを内包するステップを含み、装置のケース又はハウジングの一部が、スイッチ要素を導電性短絡要素に接触させるための作動力をもたらし、これによって一次回路とセキュリティ回路の間に一次回路を起動させるための完全な回路が形成され、作動力が解放されてスイッチ要素が非付勢状態に戻ることによってのみセキュリティ回路の途切れが生じる方法を提供する。
【００３６】
スイッチ要素は、誘電体基板が元の形状に弾性変形することを受けて非付勢状態に戻ることが理想的である。
【００３７】
通常、改ざんは違法目的又は犯罪目的で行われるので、このような改ざん時には、電子装置を停止することが有利である。特に、金融取引に関わる電子装置は、このような改ざんを特に受けやすく、従ってセキュリティが侵害された形で動作し続けるよりも動作を停止する方が好ましいと思われる。
【００３８】
本発明の第４の態様によれば、好ましくは本発明の第１の態様による薄型の多層電子システムを提供する方法であって、導電性セキュリティ接続部及び柔軟なスイッチ要素をセキュリティ層内に一直線上に設けるステップを含む方法が提供される。
【００３９】
作動力の解放時に接点が離れるように付勢する別個のバネ要素を利用するのではなく、通常は導電性トラックである導電性セキュリティ接続部とスイッチ要素とを一直線上に設けることにより、セキュリティ層の厚みを低減できると同時にスイッチ変形力を減少させることもできる。
【００４０】
以下、添付図面の図を参照しながら、本発明の好ましい実施形態をほんの一例として説明する。図では、複数の図に出現する同一の構造、要素又は部品には、一般にこれらが出現する全ての図において同じ参照番号を付している。一般に、図に示す構成要素及び特徴部の寸法は、表現の便宜上明瞭にするために選択したものであり、必ずしも縮尺通りではない。以下、各図を列挙する。
【図面の簡単な説明】
【００４１】
【図１】本発明の第１の態様による、改ざんされていない状態の多層電子システムの第１の実施形態の概略的な側面断面図である。
【図２】改ざんされた状態の図１の多層電子システムを示す図である。
【図３】図１の多層電子システムの分解斜視図である。
【図４】システムの導電性セキュリティ接続部の実施形態の概略図である。
【発明を実施するための形態】
【００４２】
まず図１〜図３を参照すると、この例では少なくとも部分的にプリント基板（ＰＣＢ）１４を含む支持基板１２と、好ましくは柔軟なセキュリティ層１６と、導電性短絡要素１８と、誘電体基板２０とを含む多層電子システム１０を示している。
【００４３】
ＰＣＢ１４は、システム１０の機能性電子部品の大部分を含む少なくとも１つの一次導電性トラック２２を含む。トラック２２は、基本的には図３にほんの一例として示しており、第１及び第２の一次端子２４、２６で終端する。以下、ＰＣＢ１４の回路を一次回路２８と呼ぶ。
【００４４】
この実施形態のＰＣＢ１４は、支持基板１２の一部のみを形成し、支持基板１２の本体３０は、プラスチック材料などの、好ましくは剛性の電気絶縁材料で形成される。
【００４５】
ＰＣＢ１４の上面３２には、半田などの導電性材料で形成された、或いは任意に抵抗器として形成された少なくとも２つのセキュリティ回路係合要素３４が取り付けられる。支持基板１２の本体３０の上面３６には、通常は銅、ニッケル、又はこの好ましい事例では導電性印刷可能インクであるいずれかの十分に導電性の材料で短絡パッドとして形成された導電性短絡要素１８が取り付けられる。
【００４６】
セキュリティ回路係合要素３４及び導電性短絡パッド１８は、支持基板１２から間隔を置いた実質的に平行な上面３８、４０を有し、セキュリティ回路係合要素３４は、導電性短絡パッド１８よりもさらに突出する。従って、２つの表面３８、４０は、互いに対してオフセットされており、同一平面上になく、従って互いに同じ高さではない。
【００４７】
セキュリティ層１６は、少なくとも１つの導電性セキュリティ接続部４２を含み、この導電性セキュリティ接続部４２は、導電性セキュリティトラックとして形成されることが好ましく、また第１のセキュリティ端子４４から第２のセキュリティ端子４６まで曲りくねった、蛇状の、蛇行した又はジグザグの経路（明確にするために図３には図示せず）をたどることが好ましい。各セキュリティ端子４４、４６は、対応する一次セキュリティ端子２４、２６と対を成し、これらの関連する端子２４、４４、２６、４６は、それぞれのセキュリティ回路係合要素３４ａ、３４ｂによって相互接続される。
【００４８】
通常、導電性セキュリティトラック４２は、銅、ニッケル、銀、金、その他の貴金属で、或いは例えばグラフェンのような炭素系材料などの同様に導電性に優れた材料で形成される。セキュリティ接続部４２は、本明細書ではトラックとして説明しているが、導電性短絡パッド１８と電気的に導通した時に一次回路２８を電気的に完結させるように、あらゆる好適な形を取ることができると理解されるであろう。プリンテッドエレクトロニクス技術及び／又はフレキシブルプリント回路技術を検討することにより、適当な導電性材料を選択して利用することもできる。セキュリティ層１６の回路は、導電を目的とするものにすぎず、以下ではセキュリティ回路４８と呼ぶ。
【００４９】
セキュリティ層１６及び関連するセキュリティトラック４２は、システム１０のセキュリティトラック４２の部分を含まない部分を介してセキュリティ層１６が改ざんされるのを防ぐように、誘電体基板２０の下面の大部分を覆い、又は実質的に覆うことができる。これを実現するために、セキュリティ層１６を誘電体基板２０と一体的に形成することができ、この場合、セキュリティ層１６は、例えば蒸着プロセスを用いて誘電体基板２０上に形成される。
【００５０】
セキュリティ層１６は、柔軟なスイッチ要素５０をさらに含む。このスイッチ要素５０は、セキュリティトラック４２と電気的に導通して一直線上にある少なくとも１つの、好ましくは図示の実施形態に示すように２つの可動部分５２を含む。これらの可動部分５２は、内部セキュリティ端子５４において接続される柔軟な導電要素として、セキュリティトラック４２と一体的に、或いは図示のように別個に形成することができる。しかしながら、可動部分５２同士は、セキュリティトラック４２内に電気遮断部をもたらすように物理的に分離する。
【００５１】
可動部分５２は、作動力が加わると屈曲し、作動し、又は別様に移動することができ、従って、例えば柔軟な又は変形可能な導電性材料で形成することができる。この移動は短絡パッド１８に向かって行われ、従ってスイッチ要素５０は、セキュリティ層１６内で短絡パッド１８に隣接して又はその近傍に位置付けられる。
【００５２】
セキュリティ層１６を支持基板１２に当接させて保持するために、誘電体基板２０が設けられる。セキュリティ層１６は、典型的には印刷層又はその他の堆積層として誘電体基板２０に取り付けられ、従って誘電体基板２０は、セキュリティ層１６のキャリアとして機能する。誘電体基板２０を支持基板１２に固定すると、セキュリティ層１６と一次導電性トラック２２が確実に接触するようになり、好適な接着層５６を使用することによって接着保持が実現される。しかしながら、短絡要素１８及びスイッチ要素５０の周囲領域では接着剤が使用されず、従って短絡要素１８の周囲には空隙５８が形成される。
【００５３】
誘電体基板２０は、柔軟であるとともに弾性があり、このようなあらゆる好適な材料で、典型的にはポリイミドなどの誘電材料で形成される。この結果、この誘電体基板２０は、下にあるセキュリティ層１６の機械的支持部として機能する。誘電体基板２０は、適所に存在する時には、支持基板１２の大部分を覆って広がる。セキュリティ層１６は、誘電体基板２０の接触部分によって適所に保持されたスイッチ要素５０又はその隣接部を除き、接着層５６を用いて支持基板１２に固定される。
【００５４】
短絡パッド１８がセキュリティ回路係合要素３４に対して奥まった位置にあり、これらの間に空隙５８が存在する結果、誘電体基板２０の自然張力によって確実に層が単一面内に存在するようになる。従って、誘電体基板２０と連通するスイッチ要素５０の可動部分５２は、短絡パッド１８から離れるように付勢され、その後は電気的及び物理的連通を行わないようになる。この誘電体基板２０の付勢は、層２０を少なくとも部分的に弾性の材料で形成することによって実現することができ、これによって変形力又は圧力の不在時には誘電体基板が元の形状に復帰し、又は戻ることができるようになる。従って、このような付勢力が全く存在しない時には、スイッチ要素５０は、セキュリティ接続部４２と一直線上に、かつ同一平面上に存在する。
【００５５】
使用時には、この多層電子システム１０は、改ざん防止電子装置の一部として設置される。通常、このような装置は、システム１０を内包して改ざんからの初期保護を行う本体を有する。このような改ざん防止装置は、例えば、ユーザ及びベンダーの両方にとってセキュリティが大きな関心事項である銀行のカードリーダ、販売時点情報管理（ＰＯＳ）装置とすることができる。
【００５６】
改ざん防止装置の本体は、装置内に多層電子システム１０を取り付けることができる取り付け手段を有し、特にシステム１０に少なくとも部分的に作動力を与える保持手段を有することができる。この保持手段は、例えば本体から内向きに突出してシステム１０の一部に接触するスピゴット６０とすることができる。
【００５７】
このようなスピゴット６０は、遠位端６２が作動可能なスイッチ要素５０又はその近傍で誘電体基板２０の一部に接触するように構成することができる。スピゴット６０は、改ざん防止電子装置の本体が改ざんされていない通常動作状態では、誘電体基板２０を、従ってスイッチ要素５０を導電性短絡要素１８の方向に付勢する保持力を与える。
【００５８】
このようにして、スイッチ要素５０の上記又は各可動部分５２は、弾性的に確実に短絡接触要素１８に接触するようになる。従って、導電性セキュリティトラック４２の電気遮断部が橋絡し、一次トラック及びセキュリティトラック２２、４２を通る完全な回路が完結する。これによって一次回路２８が動作するようになる。
【００５９】
従って、改ざん防止電子装置は、上記通常動作状態では、一次回路２８が作動し、装置の本体の位置によってスピゴット６０が一次トラック２２とセキュリティトラック４２の間の接続を保持することによって機能するようになる。
【００６０】
しかしながら、改ざん防止電子装置が何らかの形で改ざんされた場合には、本体が開けられた時にスピゴット６０の圧縮保持力が解放される。このような状態では、誘電体基板２０が付勢されていない平面構成に戻り、スイッチ要素５０の可動部分５２が導電性短絡要素１８と接触しなくなる。
【００６１】
電子装置の改ざん防止性をさらに促すために、誘電体基板２０は、装置が開けられると、セキュリティ層１６の接続が途切れるような程度まで誘電体基板２０が引っ張られるように装置の本体に接続することができる。同様に、支持基板１２は、装置のケーシングが開けられた時点で一次回路２８とセキュリティ回路４８がさらに大きく分離するように装置の本体に取り付けることができる。
【００６２】
従って、装置の改ざん時には、セキュリティ回路４８が途切れていない場合にのみ完結する一次回路２８内の電流の流れが途切れ、作動可能なスイッチ要素５０が導電性短絡要素１８と接触している時にセキュリティトラック４２内に形成されていた橋絡部が保持力の解放によって途切れて電気遮断部のみが残る。
【００６３】
従って、装置のケース又はハウジングが改ざんされることにより、このような多層電子システム１０を有する改ざん防止電子装置が停止し、スイッチ要素５０に加わっている作動力が解放され、一次回路及びセキュリティ回路２８、４８の組み合わせによって形成された電子回路を通る電流の流れを断つことが可能になる。
【００６４】
上述した改ざん防止電子装置は、改ざん防止能力を提供するために含まれる単一の多層電子システムを有するものとして説明したが、実際には、改ざん防止性を容易に回避できないことを確実にするために、単一の装置に上記システムを複数含めることもできると理解されるであろう。これらのシステムは、共通のハウジング又はエンクロージャによって作動する別個のもの、従って互いに独立したものとすることも、或いは１又はそれ以上の共通又は共有基板及び／又はカバー層と一体に形成することもできる。
【００６５】
この点は、本発明の核心に触れる部分であり、セキュリティ回路の一部として複数の電気遮断部及びそれぞれの短絡要素を設け、これらに複数の関連するスピゴットを係合させて保持力を与えることができる。これらのスピゴットは、装置全体の周囲の改ざん防止保護を行うように、改ざん防止電子装置の本体、ケーシング又はハウジングの周囲に間隔を置いて配置することができる。本発明では、保持力を加える必要がある場所がＰＣＢ自体から物理的に転位しているので、これを実現できるのは本発明のみである。これにより、さらに広い装置の範囲が保護され、ＰＣＢの主要部分を含まない装置の部分を通じて望ましくない改ざんが行われることが有利に防がれる。
【００６６】
さらに、改ざん防止装置の保持手段は、必ずしもスピゴットである必要はなく、回路を完結させるのに必要な保持力をもたらすために必ずしも改ざん防止装置のケース又はハウジングと一体的に形成される必要もない。
【００６７】
本明細書では、作動可能なスイッチ要素について、導電性短絡要素と電気的に導通するように移動できる柔軟な導電要素を有するものとして説明した。しかしながら、電気的係合を行うためには、柔軟な要素よりもむしろ、例えば枢動自在な要素などのいずれかの好適な作動可能要素を使用することもできる。しかしながら、現在説明している構成の、当分野の先行技術を凌ぐ大きな利点は、別個の付勢バネを省略できる点である。本発明では、専用の伸縮バネを省略することにより、ハウジング又はエンクロージャ内に内部的に加わる分離力が大幅に低減され、従って内部補強の必要性が減少し、この結果、位置決めの自由さを高めることができる。
【００６８】
また、短絡要素については、支持基板に接続され、非付勢状態の時にスイッチ要素を短絡要素から遠ざけるために支持基板内の奥まった位置に配置されると説明したが、短絡要素を導電性セキュリティ接続部から電気的に絶縁できるのであれば、短絡要素をセキュリティ層に物理的に接続することも可能である。この接続は、例えば非導電性接着層を用いて短絡要素をセキュリティ層に取り付けることによって行うことができる。このような構成では、短絡要素を含むようにセキュリティ回路を製造し、その後に一次回路を含む支持基板に取り付けることができる。
【００６９】
従って、外力を受けて短絡要素に接触するように作動できる部分を有する薄厚のセキュリティ層を含む、よりスリムな多層電子システムを提供することが可能である。この短絡要素は、多層電子システムの一次回路を完結させて、システムの主要機能を完成させることができる。従って、この回路は、多層電子システムを含むいずれかの改ざん防止装置のメインケース又はハウジングによって与えられる上記外力が加わっている時にのみ完結し、従って、一次回路は、外力を失った時、すなわち多層電子システムが改ざんされた時に停止する。
【００７０】
このようなシステムは、一次回路、又はシステムが含まれているハウジングの改ざんを検出することによってシステムに対する違法な又は望ましくない改ざんを阻止できると同時に、一次回路の作動を維持するために上記ハウジング内の特定の場所に一次回路のＰＣＢ回路が位置付けられることを必要としない。これにより、システムのスイッチ要素を作動させるためにハウジングから与えられる必要のある外力が弱くて済み、これまで十分な作動力を有していなかった装置も本発明の改ざん防止技術を利用できるようになるという利点が得られる。
【００７１】
本出願の明細書及び特許請求の範囲では、記述する項目又は特徴の存在を明示する一方でさらなる項目又は特徴の存在を排除しないように、「備える、含む、有する（ｃｏｍｐｒｉｓｅ、ｉｎｃｌｕｄｅ、ｃｏｎｔａｉｎ及びｈａｖｅ）」という動詞、並びにその派生形の各々を包括的な意味で使用している。
【００７２】
明確化のために別個の実施形態の文脈で説明した本発明のいくつかの特徴は、単一の実施形態において組み合わせて提供することもできると理解されたい。これとは逆に、簡潔さを期すために単一の実施形態の文脈で説明した本発明の様々な特徴を別個に、又はいずれかの好適な下位の組み合わせで提供することもできる。
【００７３】
上述した実施形態はほんの一例にすぎず、当業者には、添付の特許請求の範囲によって規定される本発明の範囲から逸脱することなく、他の様々な修正が明らかになるであろう。
【符号の説明】
【００７４】
１０  多層電子システム
１２  支持基板
１４  プリント基板（ＰＣＢ）
１６  セキュリティ層
１８  導電性短絡要素（短絡パッド）
２０  誘電体基板
２２  一次導電性トラック
３０  支持基板の本体
３２  ＰＣＢの上面
３４  セキュリティ回路係合要素
３６  支持基板の本体の上面
３８  セキュリティ回路係合要素の上面
４０  導電性短絡要素の上面
４２  導電性セキュリティ接続部
５０  スイッチ要素
５２  可動部分
５４  内部セキュリティ端子
５６  接着層
５８  空隙
６０  スピゴット
６２  スピゴットの遠位端
【図１】
0006592307.tif 000002
【図２】
0006592307.tif 000003
【図３】
0006592307.tif 000004
【図４】
0006592307.tif 000005